(57)【特許請求の範囲】
【請求項１】
各々対向装置から入力される非同期転送モードのセルを自装置内に出力しかつ前記自装置内から入力される前記非同期転送モードのセルを前記対向装置に出力する複数の回線処理部を含み、前記複数の回線処理部を介して前記セルの交換を実現するＡＴＭ交換装置であって、
前記複数の回線処理部各々の間をリング型に接続するリング接続手段を有し、
前記対向装置から入力される前記セルを前記リング接続手段を介して隣接する前記回線処理部に出力しかつ隣接する前記回線処理部から入力される前記セルを前記対向装置に出力するＡＴＭセル転送機能を前記複数の回線処理部各々に有することを特徴とするＡＴＭ交換装置。
【請求項２】
前記ＡＴＭセル転送機能は、前記リング接続手段に前記セルを挿入する第１の転送機能と、前記リング接続手段から前記セルを抽出する第２の転送機能とを含むことを特徴とする請求項１記載のＡＴＭ交換装置。
【請求項３】
前記第１の転送機能は、前記対向装置から入力される前記セルを前記リング接続手段に挿入し、
前記第２の転送機能は、前記対向装置に出力する前記セルを前記リング接続手段から抽出するよう構成したことを特徴とする請求項２記載のＡＴＭ交換装置。
【請求項４】
前記複数の回線処理部及び前記リング接続手段を二重化したことを特徴とする請求項１から請求項３のいずれか記載のＡＴＭ交換装置。
【請求項５】
各々対向装置から入力される非同期転送モードのセルを自装置内に出力しかつ前記自装置内から入力される前記非同期転送モードのセルを前記対向装置に出力する複数の回線処理部を介して前記セルの交換を実現するＡＴＭ交換方法であって、前記複数の回線処理部各々の間をリング接続手段でリング型に接続し、前記複数の回線処理部各々に設けられたＡＴＭセル転送機能で前記対向装置から入力される前記セルを前記リング接続手段を介して隣接する前記回線処理部に出力しかつ隣接する前記回線処理部から入力される前記セルを前記対向装置に出力するようにしたことを特徴とするＡＴＭ交換方法。
【請求項６】
前記ＡＴＭセル転送機能は、前記リング接続手段に前記セルを挿入する第１のステップと、前記リング接続手段から前記セルを抽出する第２のステップとを含むことを特徴とする請求項５記載のＡＴＭ交換方法。
【請求項７】
前記第１のステップは、前記対向装置から入力される前記セルを前記リング接続手段に挿入し、
前記第２のステップは、前記対向装置に出力する前記セルを前記リング接続手段から抽出するようにしたことを特徴とする請求項６記載のＡＴＭ交換方法。
【請求項８】
前記複数の回線処理部及び前記リング接続手段を二重化したことを特徴とする請求項５から請求項７のいずれか記載のＡＴＭ交換方法。
【発明の詳細な説明】
【０００１】
【発明の属する技術分野】
本発明はＡＴＭ交換装置及びそれに用いるＡＴＭ交換方法に関し、特にＡＴＭ（Ａｓｙｎｃｈｒｏｎｏｕｓ  Ｔｒａｎｓｆｅｒ  Ｍｏｄｅ：非同期転送モード）交換装置におけるＡＴＭセル交換方法（スイッチング方式）に関する。
【０００２】
【従来の技術】
従来、ＡＴＭ交換装置におけるＡＴＭセル交換方法では、回線処理部間にＡＴＭスイッチ部を配置してＡＴＭセル交換を実現している。従来のＡＴＭ交換装置の構成例を図１１に示す。
【０００３】
図１１において、入力側のＡＴＭ回線処理部８１〜８３から入力されるＡＴＭセルは必ずＡＴＭスイッチ部９を介して出力側のＡＴＭ回線処理部９１〜９３へと出力される。ＡＴＭスイッチ部９は入力バッファ型ＡＴＭスイッチ、出力バッファ型ＡＴＭスイッチ、共有バッファ型ＡＴＭスイッチ等で構成されている。このＡＴＭスイッチ部９は、同時に同じ宛先のＡＴＭセルが複数の回線から到着しても、セル損失を発生させないためのセルバッファといわれるハードウェアで実現している。
【０００４】
次に、上記のＡＴＭ交換装置８の動作について説明する。入力側のＡＴＭ回線処理部８１〜８３は対向するＡＴＭ交換装置（図示せず）から到着したＡＴＭセルを、ＡＴＭセルのＶＰＩ（Ｖｉｒｔｕａｌ  Ｐａｔｈ  Ｉｄｅｎｔｉｆｉｅｒ）、ＶＣＩ（Ｖｉｒｔｕａｌ  Ｃｈａｎｎｅｌ  Ｉｄｅｎｔｉｆｉｅｒ）値から出力先回線情報（ルーティング情報）をセルに付与する。
【０００５】
ＡＴＭスイッチ部９は各ＡＴＭ回線処理部８１〜８３から到着するＡＴＭセルをＡＴＭセルのルーティング情報に対応したＡＴＭ回線処理部９１〜９３にＡＴＭセルを送出することによって、ＡＴＭセル交換機能を実現している。
【０００６】
【発明が解決しようとする課題】
上述した従来のＡＴＭセル交換方法では、ＡＴＭ交換装置のＡＴＭセルルーティング方式において、ＡＴＭ回線処理部からの回線データ（ＡＴＭセル）がルーティング処理を行うＡＴＭスイッチ部を経由して、ＡＴＭ回線処理部へと転送されている。また、ＡＴＭスイッチ部では、複数のＡＴＭ回線処理部から入力されるバースト的なトラヒックにも耐えるためのＡＴＭセル蓄積用バッファを具備している。
【０００７】
このＡＴＭセル蓄積用バッファ及びバッファ制御部はハードウェアのアーキテクチャが複雑であり、ハード規模が大きくなるという問題がある。そのため、ＡＴＭ交換装置におけるＡＴＭスイッチ部のハードウェアの小型化及び低価格化が困難となっている。
【０００８】
そこで、本発明の目的は上記の問題点を解消し、ハードウェアアーキテクチャの簡素化によるハードウェアの小型化及び低価格化を図ることができるＡＴＭ交換装置及びそれに用いるＡＴＭ交換方法を提供することにある。
【０００９】
【課題を解決するための手段】
本発明によるＡＴＭ交換装置は、各々対向装置から入力される非同期転送モードのセルを自装置内に出力しかつ前記自装置内から入力される前記非同期転送モードのセルを前記対向装置に出力する複数の回線処理部を含み、前記複数の回線処理部を介して前記セルの交換を実現するＡＴＭ交換装置であって、
前記複数の回線処理部各々の間をリング型に接続するリング接続手段を有し、
前記対向装置から入力される前記セルを前記リング接続手段を介して隣接する前記回線処理部に出力しかつ隣接する前記回線処理部から入力される前記セルを前記対向装置に出力するＡＴＭセル転送機能を前記複数の回線処理部各々に備えている。
【００１０】
本発明によるＡＴＭ交換方法は、各々対向装置から入力される非同期転送モードのセルを自装置内に出力しかつ前記自装置内から入力される前記非同期転送モードのセルを前記対向装置に出力する複数の回線処理部を介して前記セルの交換を実現するＡＴＭ交換方法であって、前記複数の回線処理部各々の間をリング接続手段でリング型に接続し、前記複数の回線処理部各々に設けられたＡＴＭセル転送機能で前記対向装置から入力される前記セルを前記リング接続手段を介して隣接する前記回線処理部に出力しかつ隣接する前記回線処理部から入力される前記セルを前記対向装置に出力するようにしている。
【００１１】
すなわち、本発明のＡＴＭ交換方法は、隣接するＡＴＭ回線処理部間を接続することによって、全てのＡＴＭ回線処理部を一つのリング上に接続することが可能になる。
【００１２】
また、ＡＴＭ回線処理部でリング上を通過するＡＴＭセル流から処理対象のＡＴＭセルのみの抽出を行って対向装置へと転送を行う機能を配置させる。さらに、対向装置より到着したＡＴＭセルを回線処理部にてリング上に挿入する機能を配置させる。
【００１３】
これらの機能の配置によって、ＡＴＭセルのルーティング（スイッチング）が可能となり、ＡＴＭスイッチ部を省略することが可能となり、ハードウェアアーキテクチャの簡素化が可能となる。
【００１４】
【発明の実施の形態】
次に、本発明の実施例について図面を参照して説明する。図１は本発明の一実施例によるＡＴＭ（Ａｓｙｎｃｈｒｏｎｏｕｓ  Ｔｒａｎｓｆｅｒ  Ｍｏｄｅ：非同期転送モード）交換装置の構成を示すブロック図である。図１において、ＡＴＭ交換装置１はＡＴＭ回線処理部１１〜１３とＡＴＭ回線処理部２１〜２３とからなり、ＡＴＭ回線処理部１１〜１３，２１〜２３の全てをリング接続して構成されている。
【００１５】
ＡＴＭ交換装置１のＡＴＭ回線処理部１１は図示せぬ対向装置からＡＴＭセルを受信し、リング上にＡＴＭセルの転送を行い、ＡＴＭ回線処理部２３はリング上からＡＴＭセルを抽出し、図示せぬ対向装置へＡＴＭセル送出を行う。これらＡＴＭ回線処理部１１〜１３，２１〜２３によってＡＴＭセルの転送機能が実現される。
【００１６】
図２は図１のＡＴＭ回線処理部１１〜１３，２１〜２３の構成を示すブロック図である。図２においてはＡＴＭ回線処理部１１〜１３，２１〜２３をＡＴＭ回線処理部３として示している。
【００１７】
ＡＴＭ回線処理部３は図示せぬ対向装置とのインタフェース整合を行う対向装置インタフェース部３１と、ＡＴＭレイヤ処理［ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）機能、トラヒックマネジメント等］を行うＡＴＭレイヤ処理部３２と、リング上のセル流から処理対象ＡＴＭセルの抽出及びリング上にＡＴＭセルの挿入を行うルーティング処理部３３と、他のＡＴＭ回線処理部とのインタフェース整合を行う装置内インタフェース部３４とから構成されている。
【００１８】
図３は図２のルーティング処理部３３の構成を示すブロック図である。図３においてはルーティング処理部３３をルーティング処理部４として示している。ルーティング処理部４はＡＴＭレイヤ処理部３２から入力されたＡＴＭセルに出回線番号の付与を行うセルヘッダ変換処理部４１と、セルヘッダ変換処理部４１及びセル受信処理部４３からのＡＴＭセルを多重して装置内インタフェース部３４にセル送信を行うセル多重処理部４２と、装置内インタフェース部３４からのＡＴＭセルの出回線番号を判定してＡＴＭレイヤ処理部３２やセル多重処理部４２にＡＴＭセル送信を行うセル受信処理部４３とから構成されている。
【００１９】
図４は本発明の一実施例で用いるＡＴＭセルのフォーマットを示す図であり、図５は図３のセルヘッダ変換処理部４１から出力されるＡＴＭセルのフォーマットを示す図である。図６及び図７は図２のＡＴＭ回線処理部３の処理動作を示すフローチャートであり、図８は図３のルーティング処理部４の処理動作を示すフローチャートである。これら図１〜図８を参照して本発明の一実施例によるＡＴＭ交換装置１の処理動作について説明する。
【００２０】
図１においては対向装置から入力されたＡＴＭセルがＡＴＭ回線処理部１１からＡＴＭ回線処理部２１〜２３を経由して対向装置へ転送される場合の流れを示している。この場合、ＡＴＭ回線処理部１１〜１３，２１〜２３各々を隣接するＡＴＭ回線処理部と接続させることによって、ＡＴＭ回線処理部１１〜１３，２１〜２３の全体はリング型で接続され、各ＡＴＭ回線処理部１１〜１３，２１〜２３は必ずリング上に接続されるようなる。
【００２１】
このことによって、全てのＡＴＭセルを任意のＡＴＭ回線処理部から任意のＡＴＭ回線処理部へと転送させることが可能となり、ＡＴＭ交換装置１としてのルーティング機能（スイッチング機能）を実現することができる。
【００２２】
ＡＴＭ回線処理部３（ＡＴＭ回線処理部１１〜１３，２１〜２３）に入力されたＡＴＭセルに対しては（図６ステップＳ１，Ｓ２）、対向装置インタフェース部３１で対向装置との物理レイヤの終端が行われ（図６ステップＳ３）、ＡＴＭレイヤ処理（レイヤ２）部３２へと転送される。
【００２３】
ＡＴＭレイヤ処理部３２では転送されてきたＡＴＭセルに対してＡＴＭレイヤにおけるトラヒック制御［課金処理、コネクション受付処理（ＣＡＣ）、使用量パラメータ制御（ＵＰＣ）、優先制御（ＱｏＳ制御）］やＯＡＭ機能（警報処理、品質監視処理）等の処理が行われ（図６ステップＳ４）、ルーティング処理部３３へと転送される。
【００２４】
ルーティング処理部３３ではリング上のセル流から処理対象ＡＴＭセルの抽出及びリング上にＡＴＭセルの挿入を行う。より詳細に、ＡＴＭセルを受信したルーティング処理部４（ルーティング処理部３３）内において、ヘッダ変換処理部４１は図５に示すＡＴＭセルのフォーマットに出ＡＴＭ回線番号（ＡＴＭ回線処理部２３）及び入ＡＴＭ回線番号（ＡＴＭ回線処理部１１）を付与し（図８ステップＳ２１）、図６に示すＡＴＭセルへのフォーマット変換を行い（図８ステップＳ２２）、セル多重処理部４２へとＡＴＭセルを転送する。
【００２５】
セル多重処理部４２ではセルヘッダ変換処理部４１から入力されたＡＴＭセルを、セル受信処理部４３から入力されるＡＴＭセル流へ多重する。この時、セルヘッダ変換処理部４１からのＡＴＭセルはセル受信処理部４３からのＡＴＭセル流に空きがあった場合に（図８ステップＳ２３）、上記のセル多重を行い（図８ステップＳ２４）、装置内インタフェース部３４へと転送する（図８ステップＳ２５）。
【００２６】
尚、ＡＴＭセル多重のための待ち合わせが発生した時のセル廃棄を防ぐために、ルーティング処理部３３内には図示せぬバッファを具備させ、待ち合わせの間、あるいは処理終了まで上記の処理を繰り返し行う（図８ステップＳ２１〜Ｓ２５）。
【００２７】
ＡＴＭセルが入力された装置内インタフェース部３４は、リング接続において隣接するＡＴＭ回線処理部へＡＴＭセルの転送を行う（図６ステップＳ６）。ここでのＡＴＭセルは出ＡＴＭ回線番号がＡＴＭ回線処理部２３で出力されるため、ＡＴＭ回線処理部２３以外のＡＴＭ回線処理部はＡＴＭセルを無処理で隣接するＡＴＭ回線処理部へと転送を行う。
【００２８】
各ＡＴＭ回線処理部を経由したＡＴＭセルはＡＴＭ回線処理部２３内の装置内インタフェース部３４に到着する。装置内インタフェース部３４はＡＴＭ回線処理部間のインタフェース整合を行い（図７ステップＳ８，Ｓ９）、ＡＴＭセルを後段のルーティング処理部３３へと転送を行う。
【００２９】
ルーティング処理部３３内のセル受信処理部４３では入力されたＡＴＭセルヘッダの出ＡＴＭ回線番号を参照し（図７ステップＳ１０）、設定されているＡＴＭ回線番号と一致していれば（図７ステップＳ１１）、ＡＴＭセルをＡＴＭレイヤ処理部３２へとＡＴＭセルを転送する（図７ステップＳ１２）。
【００３０】
ここで、設定されているＡＴＭ回線番号が一致しなければ（図７ステップＳ１１）、装置内インタフェース部３４へとＡＴＭセルを折り返し（ループバック）、後段のＡＴＭ回線処理部へとＡＴＭセルの転送を行う（図７ステップＳ１３）。
【００３１】
ＡＴＭレイヤ処理部３２へと転送されたＡＴＭセルはＡＴＭレイヤ処理部３２及び対向装置インタフェース部３１を経由して対向装置へと出力される。この一連の動作によってＡＴＭルーティング処理が可能となる。尚、上記の処理は処理終了となるまで繰り返し行われる（図６ステップＳ１〜Ｓ７、図７ステップＳ８〜Ｓ１３）。
【００３２】
図９は本発明の他の実施例によるＡＴＭ交換装置の構成を示すブロック図である。図９において、本発明の他の実施例によるＡＴＭ交換装置５はＡＴＭ回線処理部５１〜５６，６１〜６６を二重化（運用系及び予備系）し、さらにリングを二重にした以外は図１に示す本発明の一実施例によるＡＴＭ交換装置１と同様の構成となっており、その処理も本発明の一実施例と同様である。
【００３３】
すなわち、ＡＴＭ交換装置５はＡＴＭ回線処理部５１〜５６とＡＴＭ回線処理部６１〜６６とからなり、ＡＴＭ回線処理部５１〜５３，６１〜６３の全てをリング接続して構成され、ＡＴＭ回線処理部５４〜５６，６４〜６６の全てをリング接続して構成されている。これらＡＴＭ回線処理部５１〜５３，６１〜６３、ＡＴＭ回線処理部５４〜５６，６４〜６６によってそれぞれＡＴＭセルの転送機能が実現される。
【００３４】
図１０は図９のＡＴＭ回線処理部５１〜５６，６１〜６６の構成を示すブロック図である。図１０においてはＡＴＭ回線処理部５１〜５６，６１〜６６をＡＴＭ回線処理部７として示している。
【００３５】
図１０において、ＡＴＭ回線処理部７は図示せぬ対向装置とのインタフェース整合を行う対向装置インタフェース部７１と、ＡＴＭレイヤ処理［ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）機能、トラヒックマネジメント等］を行うＡＴＭレイヤ処理部７２と、リング上のセル流から処理対象ＡＴＭセルの抽出及びリング上にＡＴＭセルの挿入を行うルーティング処理部７３と、他のＡＴＭ回線処理部とのインタフェース整合を行う装置内インタフェース部７４と、前段のＡＴＭ回線処理部の運用系を選択するセレクタ部７５とから構成されている。
【００３６】
このことによって、予備系のＡＴＭ回線処理部からのデータは、このセレクタ部７５で廃棄されるため、予備系のＡＴＭ回線処理部は他のＡＴＭ回線処理部に影響なく回線部の交換等が可能となる。
【００３７】
このように、ＡＴＭ交換装置１，５のＡＴＭセルルーティング機能において、従来の装置では必須とされていたＡＴＭスイッチ部を削除することによって、ハードウェアのアーキテクチャを簡素化することができるので、ハードウェアの小型化や低価格化を図ることができる。
【００３８】
【発明の効果】
以上説明したように本発明によれば、入力側の対向装置から入力される非同期転送モードのセルを自装置内に出力しかつ自装置内から入力される非同期転送モードのセルを出力側の対向装置に出力する複数の回線処理部を介してセルの交換を実現するＡＴＭ交換装置において、複数の回線処理部各々の間をリング接続手段でリング型に接続し、複数の回線処理部各々に設けられたＡＴＭセル転送機能で入力側の対向装置から入力されるセルをリング接続手段を介して出力側の対向装置に出力することによって、ハードウェアアーキテクチャの簡素化によるハードウェアの小型化及び低価格化を図ることができるという効果がある。
【図面の簡単な説明】
【図１】本発明の一実施例によるＡＴＭ交換装置の構成を示すブロック図である。
【図２】図１のＡＴＭ回線処理部の構成を示すブロック図である。
【図３】図２のルーティング処理部の構成を示すブロック図である。
【図４】本発明の一実施例で用いるＡＴＭセルのフォーマットを示す図である。
【図５】図３のセルヘッダ変換処理部から出力されるＡＴＭセルのフォーマットを示す図である。
【図６】図２のＡＴＭ回線処理部の処理動作を示すフローチャートである。
【図７】図２のＡＴＭ回線処理部の処理動作を示すフローチャートである。
【図８】図３のルーティング処理部の処理動作を示すフローチャートである。
【図９】本発明の他の実施例によるＡＴＭ交換装置の構成を示すブロック図である。
【図１０】図９のＡＴＭ回線処理部の構成を示すブロック図である。
【図１１】従来のＡＴＭ交換装置の構成を示すブロック図である。
【符号の説明】
１，５  ＡＴＭ交換装置
３，７，１１〜１３，２１〜２３，
５１〜５６，６１〜６６  ＡＴＭ回線処理部
４，３３，７３  ルーティング処理部
３１，７１  対向装置インタフェース部
３２，７２  ＡＴＭレイヤ処理部
３４，７４  装置内インタフェース部
４１  セルヘッダ変換処理部
４２  セル多重処理部
４３  セル受信処理部
７５  セレクタ部
【図１】
0003586652.tif 000002
【図２】
0003586652.tif 000003
【図３】
0003586652.tif 000004
【図４】
0003586652.tif 000005
【図５】
0003586652.tif 000006
【図６】
0003586652.tif 000007
【図７】
0003586652.tif 000008
【図８】
0003586652.tif 000009
【図９】
0003586652.tif 000010
【図１０】
0003586652.tif 000011
【図１１】
0003586652.tif 000012